(57)【要約】【課題】機体側方の作業員に対する側照灯の眩しさを軽減可能な収穫機が要望されている。【解決手段】運転者が搭乗する運転部４と、運転部４を覆うキャビン５と、が備えられ、キャビン５におけるルーフ部１８の前部の左右両側部分に、左右の側照灯２８が備えられていると共に、ルーフ部１８の前部における左側の側照灯２８と右側の側照灯２８との間に、前照灯２９が備えられ、左右の側照灯２８の輝度は、前照灯２９の輝度よりも低い。【選択図】図４
2018099088.tif 000002
【特許請求の範囲】
【請求項１】
運転者が搭乗する運転部と、
前記運転部を覆うキャビンと、が備えられ、
前記キャビンにおけるルーフ部の前部の左右両側部分に、左右の側照灯が備えられていると共に、前記ルーフ部の前部における左側の前記側照灯と右側の前記側照灯との間に、前照灯が備えられ、
前記左右の側照灯の輝度は、前記前照灯の輝度よりも低い収穫機。
【請求項２】
複数の前記前照灯が備えられ、
前記左側の側照灯と前記複数の前照灯のうち前記左側の側照灯の右隣に位置する前照灯とを含む左側のライトユニットと、前記右側の側照灯と前記複数の前照灯のうち前記右側の側照灯の左隣に位置する前照灯とを含む右側のライトユニットと、が備えられ、
前記左側のライトユニットと前記右側のライトユニットとは、前記ルーフ部の前部の左右両側に振り分け配置されている請求項１に記載の収穫機。
【請求項３】
前記ルーフ部の前部の左右両側において、前記ルーフ部の前壁部と側壁部の夫々とに亘る切欠部が形成され、
左右の前記ライトユニットの夫々は、前記左右の切欠部に配置されている請求項２に記載の収穫機。
【請求項４】
前記ライトユニットの前端部が前記切欠部から食み出している請求項３に記載の収穫機。
【請求項５】
前記左右の側照灯及び前記前照灯は、光源と、前記光源からの光を反射させる反射部材と、前記光源及び前記反射部材を覆う透光部材と、を夫々有し、
左右の前記ライトユニットの夫々において、前記側照灯と前記前照灯とが横並び状態に配置され、かつ、前記側照灯及び前記前照灯を覆うカバーが備えられている請求項２から４の何れか一項に記載の収穫機。
【請求項６】
左右の前記ライトユニットは、回動操作によって姿勢変更可能であり、
前記ライトユニットの回動軸は、機体左右方向におけるキャビン外端部側ほど後方に位置し、かつ、機体左右方向におけるキャビン外端部側ほど下方に位置するように傾斜している請求項２から５の何れか一項に記載の収穫機。
【請求項７】
前記前照灯は、光源と、前記光源からの光を反射させる反射部材と、前記光源及び前記反射部材を覆う透光部材と、を有し、かつ、前下方を照射するように構成され、
前記前照灯の前記光源は、下方に向けて投光するように配置され、
前記前照灯の前記反射部材は、前記光源からの光を前下方に向けて反射するように配置され、
前記前照灯の前記透光部材は、正面を向く状態で配置されている請求項１から６の何れか一項に記載の収穫機。
【請求項８】
前記側照灯は、ハロゲン照明であり、
前記前照灯は、ＬＥＤ照明である請求項１から７の何れか一項に記載の収穫機。
【発明の詳細な説明】
【技術分野】
【０００１】
本発明は、運転者が搭乗する運転部と、運転部を覆うキャビンと、が備えられている収穫機に関する。
【背景技術】
【０００２】
上記のような収穫機として、例えば、特許文献１に記載の収穫機が既に知られている。特許文献１に記載の収穫機では、キャビンにおけるルーフ部の前部の左右両側部分に、左右の側照灯（文献では「前照灯」）が備えられていると共に、ルーフ部の前部における左側の側照灯と右側の側照灯との間に、前照灯が備えられている。
【先行技術文献】
【特許文献】
【０００３】
【特許文献１】特開２０１６−５４８６号公報
【発明の概要】
【発明が解決しようとする課題】
【０００４】
特許文献１に記載の収穫機では、作業員が機体側方で作業をしている場合、作業員が側照灯を眩しく感じてしまうことがあり、この点について改善の余地がある。
【０００５】
上記状況に鑑み、機体側方の作業員に対する側照灯の眩しさを軽減可能な収穫機が要望されている。
【課題を解決するための手段】
【０００６】
本発明の特徴は、
運転者が搭乗する運転部と、
前記運転部を覆うキャビンと、が備えられ、
前記キャビンにおけるルーフ部の前部の左右両側部分に、左右の側照灯が備えられていると共に、前記ルーフ部の前部における左側の前記側照灯と右側の前記側照灯との間に、前照灯が備えられ、
前記左右の側照灯の輝度は、前記前照灯の輝度よりも低いことにある。
【０００７】
本特徴構成によれば、左右の側照灯の輝度が前照灯の輝度よりも低いため、機体側方の作業員に対する側照灯の眩しさを軽減することができる。
【０００８】
さらに、本発明において、
複数の前記前照灯が備えられ、
前記左側の側照灯と前記複数の前照灯のうち前記左側の側照灯の右隣に位置する前照灯とを含む左側のライトユニットと、前記右側の側照灯と前記複数の前照灯のうち前記右側の側照灯の左隣に位置する前照灯とを含む右側のライトユニットと、が備えられ、
前記左側のライトユニットと前記右側のライトユニットとは、前記ルーフ部の前部の左右両側に振り分け配置されていると好適である。
【０００９】
本特徴構成によれば、側照灯と前照灯とがユニット化されているため、工数等を削減することができる。
【００１０】
さらに、本発明において、
前記ルーフ部の前部の左右両側において、前記ルーフ部の前壁部と側壁部の夫々とに亘る切欠部が形成され、
左右の前記ライトユニットの夫々は、前記左右の切欠部に配置されていると好適である。
【００１１】
本特徴構成によれば、ライトユニットがルーフ部から食み出す量を抑えることができる。これにより、ライトユニットが機体周囲の物に接触し難い。また、ライトユニットが目立ち難くなって、デザイン性に優れる。
【００１２】
さらに、本発明において、
前記ライトユニットの前端部が前記切欠部から食み出していると好適である。
【００１３】
本特徴構成によれば、ライトユニットがルーフ部から食み出す量を抑えつつ、側照灯及び前照灯の各照射範囲がルーフ部に遮られないようにして、これらの照射範囲を広くすることができる。
【００１４】
さらに、本発明において、
前記左右の側照灯及び前記前照灯は、光源と、前記光源からの光を反射させる反射部材と、前記光源及び前記反射部材を覆う透光部材と、を夫々有し、
左右の前記ライトユニットの夫々において、前記側照灯と前記前照灯とが横並び状態に配置され、かつ、前記側照灯及び前記前照灯を覆うカバーが備えられていると好適である。
【００１５】
本特徴構成によれば、横並び状態に配置した側照灯及び前照灯を、カバーによって覆うだけで、側照灯と前照灯とを簡単にユニット化することができる。
【００１６】
さらに、本発明において、
左右の前記ライトユニットは、回動操作によって姿勢変更可能であり、
前記ライトユニットの回動軸は、機体左右方向におけるキャビン外端部側ほど後方に位置し、かつ、機体左右方向におけるキャビン外端部側ほど下方に位置するように傾斜していると好適である。
【００１７】
本特徴構成によれば、回転操作によってライトユニットの姿勢を変更するだけで、機体前後方向において、側照灯及び前照灯の各照射範囲を変更することができると共に、機体左右方向において、側照灯及び前照灯の各照射範囲を変更することができる。
【００１８】
さらに、本発明において、
前記前照灯は、光源と、前記光源からの光を反射させる反射部材と、前記光源及び前記反射部材を覆う透光部材と、を有し、かつ、前下方を照射するように構成され、
前記前照灯の前記光源は、下方に向けて投光するように配置され、
前記前照灯の前記反射部材は、前記光源からの光を前下方に向けて反射するように配置され、
前記前照灯の前記透光部材は、正面を向く状態で配置されていると好適である。
【００１９】
本特徴構成によれば、収穫走行時や路上走行時に照射する必要性が高い前下方を、前照灯によって効果的に照射することができる。また、前照灯が前下方を照射するように構成されたものでありながら、透光部材が正面を向いているため、デザイン性に優れる。
【００２０】
さらに、本発明において、
前記側照灯は、ハロゲン照明であり、
前記前照灯は、ＬＥＤ照明であると好適である。
【００２１】
本特徴構成によれば、側照灯が比較的輝度の低いハロゲン照明であることにより、機体側方の作業員に対する眩しさを軽減すると共に、前照灯が比較的輝度の高いＬＥＤ照明であることにより、機体前方を明るく照らすことができる。
【図面の簡単な説明】
【００２２】
【図１】自脱型コンバインを示す右側面図である。
【図２】自脱型コンバインを示す平面図である。
【図３】キャビンの前照灯及び側照灯並びに収穫部の前照灯の照射範囲を示す平面図である。
【図４】キャビンを示す正面図である。
【図５】ライトユニットを示す右側面図である。
【図６】ライトユニットを示す正面図である。
【図７】ルーフ部の前部を示す平面断面図である。
【図８】図５におけるＶＩＩＩ−ＶＩＩＩ断面図である。
【図９】図７におけるＩＸ−ＩＸ断面図である。
【図１０】図７におけるＸ−Ｘ断面図である。
【図１１】別実施形態に係るキャビンを示す正面図である。
【発明を実施するための形態】
【００２３】
本発明を実施するための形態について、図面に基づき説明する。
【００２４】
〔コンバインの全体構成〕
図１及び図２には、本発明に係る「収穫機」として自脱型コンバインを示している。本コンバインは、機体フレーム１と、機体フレーム１を支持する走行装置２と、を備えている。機体の前部における右側には、運転キャビン３が設けられている。運転キャビン３は、運転者が搭乗する運転部４と、運転部４を覆うキャビン５と、を備えている。運転部４の下方には、エンジンＥが設けられている。
【００２５】
運転キャビン３の前方には、圃場の作物を収穫する収穫部６が設けられている。運転キャビン３の後方には、穀粒を貯留する穀粒貯留タンク７が設けられている。穀粒貯留タンク７の左方には、穀稈を脱穀する脱穀装置８が設けられている。穀粒貯留タンク７内の穀粒を排出する穀粒排出装置９が設けられている。
【００２６】
〔収穫部〕
収穫部６は、複数刈り仕様（例えば、六条刈り仕様）に構成されている。収穫部６は、複数（例えば、七個）の分草具１０と、複数（例えば、六個）の引起装置１１と、切断装置１２と、搬送装置１３と、を備えている。分草具１０は、収穫部６の前部に設けられている。分草具１０は、圃場の作物を分草する。引起装置１１は、分草された作物を引き起こす。切断装置１２は、引き起こされた作物を切断する。搬送装置１３は、刈り取られた作物を脱穀装置８に向けて後方に搬送する。収穫部６における左側部及び右側部には、それぞれ、横カバー１４が設けられている。横カバー１４には、前照灯１５が設けられている。
【００２７】
〔運転キャビン〕
図１、図２及び図４に示すように、運転部４は、運転者が着座する運転座席１６を備えている。運転座席１６の下方には、エンジンＥを覆うエンジンボンネット１７が設けられている。キャビン５は、ルーフ部１８と、乗降ドア１９と、フロントガラス２０と、を備えている。ルーフ部１８の前端縁１８ａにおける左右両側部分は、平面視において、機体左右方向におけるキャビン外端部側ほど後方に位置するように湾曲している。フロントガラス２０は、キャビン５の前部における上部（ルーフ部１８）と下部とに亘って設けられている。フロントガラス２０は、運転座席１６の座面よりも下側（具体的には、エンジンボンネット１７のうち天板部１７Ａの高さ位置Ｐ１と同じ又は略同じ高さ位置）まで延びている。
【００２８】
フロントガラス２０の外面に沿って上下揺動するワイパー２５が設けられている。ワイパー２５の揺動支軸２５ａは、フロントガラス２０の上部に設けられている。ワイパー２５を揺動駆動するモータ（図示省略）が設けられている。前記モータは、モータケース２６に収容されている。
【００２９】
エンジンＥ用のプレクリーナ２７が、運転部フレーム４Ａ上に配置されている。これにより、プレクリーナをルーフ部１８に設けた場合よりも、プレクリーナ２７の高さ位置が低くなるため、プレクリーナ２７のメンテナンス性が向上する。また、キャビン５有りの運転部４とキャビン無しの運転部とで、プレクリーナ２７の配置構造が共通化されることになって、工数等を削減することができる。
【００３０】
〔ライトユニット〕
図４から図７に示すように、ルーフ部１８の前端部の左右両側部分に、左右の側照灯２８が設けられている。ルーフ部１８の前端部における左側の側照灯２８と右側の側照灯２８との間に、前照灯２９が二つ設けられている。左側の側照灯２８と左側の前照灯２９とは、左側のライトユニット３０に含まれている。左側のライトユニット３０において、前照灯２９は、側照灯２８の右隣に位置している。右側の側照灯２８と右側の前照灯２９とは、右側のライトユニット３０に含まれている。右側のライトユニット３０において、前照灯２９は、側照灯２８の左隣に位置している。左側のライトユニット３０と右側のライトユニット３０とは、ルーフ部１８の前部の左右両側に振り分け配置されている。すなわち、左側のライトユニット３０と右側のライトユニット３０とは、ルーフ部１８の左右中心Ｃに対して対称な位置に配置されている。
【００３１】
ルーフ部１８の前端部の左右両側において、ルーフ部１８の前壁部と側壁部の夫々とに亘る切欠部１８ｂが形成されている。切欠部１８ｂは、ルーフ部１８の前端部が後方に凹入する形状に形成されている。左右のライトユニット３０の夫々は、左右の切欠部１８ｂに配置されている。ライトユニット３０は、切欠部１８ｂに配置された状態で、ライトユニット３０の前端部が切欠部１８ｂ（具体的には、ルーフ部１８の前端縁１８ａ）から食み出している。平面視において、ライトユニット３０の前端部がルーフ部１８の前端縁１８ａから食み出す量は、機体左右方向におけるキャビン外端部側に向かって徐々に大きくなっている。
【００３２】
キャビン５の上部には、ルーフ部１８を支持するルーフフレーム２１が設けられている。ルーフフレーム２１は、機体左右方向に延びると共にルーフ部１８の前部を支持する前フレーム２２と、機体前後方向に延びると共にルーフ部１８の左側部を支持する左フレーム２３と、機体前後方向に延びると共にルーフ部１８の右側部を支持する右フレーム２４と、を備えている。
【００３３】
前フレーム２２の前面には、前フレーム２２に沿って機体左右方向に延びる支持フレーム３１が設けられている。支持フレーム３１は、前フレーム２２の前面に固定（例えば、溶接固定）されている。支持フレーム３１は、断面形状が略Ｌ字形状の部材である。支持フレーム３１は、前フレーム２２の前面に沿う鉛直部３１Ａと、鉛直部３１Ａの下端部から前方に張り出す水平部３１Ｂと、を備えている。
【００３４】
支持フレーム３１の左右両側の夫々に、ライトユニット３０が支持されている。具体的には、ライトユニット３０は、内側ステー３２及び外側ステー３３を介して支持フレーム３１に支持されている。内側ステー３２は、支持フレーム３１のうち水平部３１Ｂにボルト３４によって固定されている。内側ステー３２は、ライトユニット３０のうち機体左右方向におけるキャビン内端部にボルト３５によって固定されている。外側ステー３３は、支持フレーム３１のうち水平部３１Ｂにボルト３６によって固定されている。外側ステー３３は、ライトユニット３０のうち機体左右方向におけるキャビン外端部にボルト３７によって固定されている。
【００３５】
ライトユニット３０は、ボルト３５を介して内側ステー３２に対して回動可能であり、かつ、ボルト３７を介して外側ステー３３に対して回動可能である。すなわち、ライトユニット３０は、ボルト３５、３７を支点として、回動操作によって姿勢変更（若干の姿勢変更）が可能である。
【００３６】
左側のライトユニット３０と右側のライトユニット３０とは、左右対称な構造である。したがって、以下では、左側のライトユニット３０と右側のライトユニット３０とで共通する構成については、左側のライトユニット３０及び右側のライトユニット３０のうち一方のライトユニット３０についてのみ説明する。
【００３７】
ライトユニット３０は、側照灯２８と、前照灯２９と、カバー３８と、を備えている。ライトユニット３０において、側照灯２８と前照灯２９とが横並び状態に配置され、かつ、側照灯２８及び前照灯２９を覆うカバー３８が備えられている。
【００３８】
〔側照灯〕
図８及び図１０に示すように、側照灯２８は、例えば、ハロゲン照明である。側照灯２８の輝度は、前照灯２９の輝度よりも低い。側照灯２８は、ハロゲンバルブ３９（本発明に係る「光源」に相当）と、ハロゲンバルブ３９からの光を反射させる反射部材４０と、ハロゲンバルブ３９及び反射部材４０を覆う透光部材４１と、ケース４２と、を備えている。
【００３９】
ケース４２には、ハロゲンバルブ３９、反射部材４０、透光部材４１等が取り付けられている。ケース４２の前面部は、前方に開口している。ケース４２の開口部には、反射部材４０及び透光部材４１が嵌め込まれている。透光部材４１の内側面には、フランジ部４１ａが全周に亘って形成されている。ケース４２のうち開口部側の縁部４２ａ（段差状の部分）と透光部材４１のフランジ部４１ａとで、反射部材４０が挟持されている。
【００４０】
ハロゲンバルブ３９は、反射部材４０の下部に立設されている。透光部材４１は、球面形状を有する透明体（例えば、ガラス製、樹脂製等）である。透光部材４１は、側面視において、前下方を向く状態で配置されている。透光部材４１は、平面視において、前方に対して機体左右方向におけるキャビン外側寄りの斜めを向く状態で配置されている。透光部材４１は、集光レンズとしての機能を有していてもよいし、有していなくてもよい。
【００４１】
〔前照灯〕
図８及び図９に示すように、前照灯２９は、例えば、ＬＥＤ照明である。前照灯２９は、ＬＥＤバルブ４３（本発明に係る「光源」に相当）と、ＬＥＤバルブ４３からの光を反射させる反射部材４４と、ＬＥＤバルブ４３及び反射部材４４を覆う透光部材４５と、ケース４６と、を備えている。
【００４２】
ＬＥＤバルブ４３は、基板４７に取り付けられている。ケース４６には、反射部材４４、透光部材４５、基板４７等が取り付けられている。ケース４６の前面部は、前方に開口している。ケース４６の開口部には、反射部材４４及び透光部材４５が嵌め込まれている。透光部材４５の内側面には、フランジ部４５ａが全周に亘って形成されている。ケース４６のうち開口部側の縁部４６ａ（段差状の部分）と透光部材４５のフランジ部４５ａとで、反射部材４４が挟持されている。ケース４６の上部の外側面には、放熱部材４８が設けられている。
【００４３】
ＬＥＤバルブ４３は、下方に向けて投光するように、ケース４６の上部の内側面に配置されている。反射部材４４の上部には、ＬＥＤバルブ４３からの光が入り込むように、開口部４４ａが形成されている。ＬＥＤバルブ４３が下方に向けて投光し、反射部材４４がＬＥＤバルブ４３からの光を前下方に向けて反射する。すなわち、前照灯２９は、前下方を照射するように構成されている。
【００４４】
透光部材４５は、球面形状を有する透明体（例えば、ガラス製、樹脂製等）である。透光部材４５は、正面を向く状態で配置されている。透光部材４５は、集光レンズとしての機能を有していてもよいし、有していなくてもよい。
【００４５】
〔カバー〕
カバー３８は、内側ステー３２にボルト３５によって固定され、かつ、外側ステー３３にボルト３７によって固定されている。カバー３８には、側照灯２８及び前照灯２９が露出するように、側照灯２８用の第一開口部３８ａ及び前照灯２９用の第二開口部３８ｂが形成されている。カバー３８のうち第一開口部３８ａと第二開口部３８ｂとの間の部分には、第一開口部３８ａと第二開口部３８ｂとを仕切る仕切部３８ｃが形成されている。
【００４６】
〔照射範囲〕
図１及び図３には、キャビン５の前照灯２９及び側照灯２８並びに収穫部６の前照灯１５の照射範囲を示している。図１及び図３において、前照灯２９の照射範囲をＲ１で示し、側照灯２８の照射範囲をＲ２で示し、前照灯１５の照射範囲をＲ３で示している。なお、図１及び図３に示す各照射範囲Ｒ１、Ｒ２、Ｒ３は、例示であり、多少異なっていてもよい。
【００４７】
図１に示すように、前照灯２９は、側面視において、ルーフ部１８から前下方を照射している。前照灯２９の照射範囲Ｒ１は、側面視において、前照灯１５の照射範囲Ｒ３と重なり合っている。図３に示すように、左側の前照灯２９の照射範囲Ｒ１と右側の前照灯２９の照射範囲Ｒ１とは、平面視において、重なり合っている。
【００４８】
図３に示すように、左側の側照灯２８は、平面視において、機体前方と機体左方とに亘る範囲を照射している。左側の側照灯２８の照射範囲Ｒ２は、平面視において、左側の前照灯２９の照射範囲Ｒ１及び右側の前照灯２９の照射範囲Ｒ１と重なり合っている。右側の側照灯２８は、平面視において、機体前方と機体右方とに亘る範囲を照射している。右側の側照灯２８の照射範囲Ｒ２は、平面視において、左側の前照灯２９の照射範囲Ｒ１及び右側の前照灯２９の照射範囲Ｒ１と重なり合っている。
【００４９】
図１に示すように、前照灯１５は、側面視において、横カバー１４の上部から前下方を照射している。前照灯１５の照射範囲Ｒ３は、側面視において、前照灯２９の照射範囲Ｒ１と重なり合っている。前照灯１５の照射範囲Ｒ３には、側面視において、分草具１０の前端部が含まれている。図３に示すように、左側の前照灯１５の照射範囲Ｒ３には、平面視において、少なくとも、最も左端の分草具１０が含まれている。右側の前照灯１５の照射範囲Ｒ３には、平面視において、少なくとも、最も右端の分草具１０が含まれている。
【００５０】
〔別実施形態〕
（１）上記実施形態では、左側の側照灯２８と右側の側照灯２８との間に、前照灯２９が二つ設けられている。しかし、左側の側照灯２８と右側の側照灯２８との間に、前照灯２９が一つ又は三つ以上設けられていてもよい。
【００５１】
（２）上記実施形態では、ライトユニット３０が一つの側照灯２８と一つの前照灯２９とを含んでいる。しかし、ライトユニット３０が二つ以上の側照灯２８を含んでいてもよい。また、ライトユニット３０が二つ以上の前照灯２９を含んでいてもよい。
【００５２】
（３）上記実施形態では、ライトユニット３０が切欠部１８ｂに配置されている。しかし、切欠部１８ｂを形成することなく、ライトユニット３０を配置してもよい。
【００５３】
（４）上記実施形態では、側照灯２８と前照灯２９とを含むライトユニット３０が構成されている。しかし、側照灯２８と前照灯２９とがユニット化されていなくてもよい。
【００５４】
（５）ライトユニット３０を、回転操作によって姿勢変更可能とする場合、ライトユニット３０の回動軸は、機体左右方向におけるキャビン外端部側ほど後方に位置し、かつ、機体左右方向におけるキャビン外端部側ほど下方に位置するように傾斜していてもよい。
【００５５】
（６）上記実施形態では、ＬＥＤバルブ４３は、下方に向けて投光するように配置され、反射部材４４は、ＬＥＤバルブ４３からの光を前下方に向けて反射するように配置されている。しかし、ＬＥＤバルブ４３は、前下方に向けて投光するように配置されていてもよい。
【００５６】
（７）上記実施形態では、側照灯２８は、ハロゲン照明であり、前照灯２９は、ＬＥＤ照明である。しかし、側照灯２８の輝度が前照灯２９の輝度よりも低ければ、側照灯２８は、ハロゲン照明に限らず、ＬＥＤ照明やＨＩＤ照明であってもよいし、前照灯２９は、ＬＥＤ照明に限らず、ハロゲン照明やＨＩＤ照明であってもよい。
【００５７】
（８）上記実施形態では、ワイパー２５の揺動支軸２５ａがフロントガラス２０の上部に設けられている。しかし、図１１に示すように、ワイパー２５の揺動支軸２５ａがフロントガラス２０のうち右側における上下中間部に設けられていてもよい。
【産業上の利用可能性】
【００５８】
本発明は、自脱型コンバインの他、普通型コンバインやトウモロコシ収穫機にも利用可能である。
【符号の説明】
【００５９】
４  運転部
５  キャビン
１８  ルーフ部
１８ｂ  切欠部
２８  側照灯
２９  前照灯
３０  ライトユニット
３８  カバー
３９  ハロゲンバルブ（光源）
４３  ＬＥＤバルブ（光源）
４０  反射部材
４１  透光部材
４４  反射部材
４５  透光部材
【図１】
2018099088.tif 000003
【図２】
2018099088.tif 000004
【図３】
2018099088.tif 000005
【図４】
2018099088.tif 000006
【図５】
2018099088.tif 000007
【図６】
2018099088.tif 000008
【図７】
2018099088.tif 000009
【図８】
2018099088.tif 000010
【図９】
2018099088.tif 000011
【図１０】
2018099088.tif 000012
【図１１】
2018099088.tif 000013